(57)【要約】【課題】倒伏した便蓋が便座ボックス等のケースの上面の略全体を覆い、便蓋とケースとの間隙に塵やゴミが入ることが防止されると共に、便蓋が確実に自立でき、しかも手洗い鉢も使用し易い便蓋装置を提供する。【解決手段】洋風便器２０の後部上面に便座ボックス２１が設置され、この便座ボックス２１の前部に支軸２２を介して便座２３及び主便蓋２４が起倒回動可能に取り付けられている。便座ボックス２１の後部上縁に副便蓋２４が支軸２５を介して起倒回動可能に取り付けられている。主便蓋２４及び副便蓋２６が倒伏した状態においては、便座２３から便座ボックス２１にかけて主便蓋２４及び副便蓋２６がこれらの全体を覆う。主便蓋２４を起立させると、ローラ２７が主便蓋２４の上面に沿って転動し、副便蓋２６も起立する。【選択図】  図１
2004254758.tif 000002
【特許請求の範囲】
【請求項１】
洋風便器の後部上面に設置されたケースと、該ケースに対し起倒回動可能に連結された便蓋とを有する便蓋装置において、
該便蓋として、洋風便器の便鉢に被さるように倒伏する主便蓋と、
該ケースの後部に連結されており、該主便蓋の後部及び該ケースの上面の略全体を被うように倒伏する副便蓋と
が設けられていることを特徴とする便蓋装置。
【請求項２】
請求項１において、該主便蓋及び副便蓋のいずれもが倒伏した場合に、該主便蓋及び副便蓋の上面が連続面状となるように、該主便蓋の後部に、該副便蓋の前部が係合する段差部が設けられていることを特徴とする便蓋装置。
【請求項３】
請求項１又は２において、該副便蓋の前部の下面に下方へ突出する突出体が設けられており、該主便蓋が起立回動するときに、該突出体が該主便蓋の上面に接しながら移動することを特徴とする便蓋装置。
【請求項４】
請求項３において、該突出体は、該主便蓋の上面に沿って転動するローラを有することを特徴とする便蓋装置。
【請求項５】
請求項１又は２において、前記主便蓋及び副便蓋を起倒回動させる駆動装置が設けられており、該駆動装置は、該主便蓋及び副便蓋の起倒回動途中には該主便蓋と副便蓋とを非接触とするものであることを特徴とする便蓋装置。
【請求項６】
請求項１ないし４のいずれか１項において、該主便蓋を起倒回動させる駆動装置が設けられており、該主便蓋の起倒回動によって副便蓋が起倒回動することを特徴とする便蓋装置。
【発明の詳細な説明】
【０００１】
【発明の属する技術分野】
本発明は、洋風便器に設置される便蓋装置に関するものであり、特に便蓋の開閉構造を改良した便蓋装置に関する。
【０００２】
【従来の技術】
洋風便器の後部上面に便座ボックスが設置され、この便座ボックスに便座及び便蓋を起倒方向回動可能に取り付けた洋風便器設備が広く用いられている。
【０００３】
第６図は便座ボックスを備えた洋風便器の一例を示しており、洋風便器１の後部上面にロータンク２が設置され、このロータンク２の前側に便座ボックス３が設置されている。この便座ボックス３に対し便座４と便蓋５とが起倒方向（上下方向）回動可能に連結されている。この便座ボックス３内には、便座着座者の臀部を温水で洗浄するための温水洗浄装置等が設置されている。
【０００４】
第７図では、洋風便器１の後部上面にタンクカバー６が設置され、このタンクカバー６の前部の膨出部６ａに対し便座４と便蓋５とが起倒回動可能に取り付けられている。このタンクカバー６内には、ロータンク、温水洗浄装置等が設置されている。
【０００５】
この便蓋５と便座ボックス３との間には便蓋５の起倒回動を許容するように所定の間隙があいている。なお、この間隙を過度に狭くすると、便蓋５を起立させるときに便蓋５の後縁が便座ボックス３に当ってしまう。
【０００６】
このように便蓋５と便座ボックス３との隙間があいていると、この隙間に塵やゴミが入ることがある。
【０００７】
このような便蓋と便座ボックスとの隙間が全く生じないタイプの便蓋装置として、特開２００１−１１５５２６号の図３３，３４には、第５図（ａ），（ｂ）に示すように、便蓋１０を便座ボックス１２の後縁上部に支軸１１によって枢支したものが記載されている。
【０００８】
しかしながら、このように便蓋１０を便座ボックス１２の後縁上部に枢支した場合、第５図（ｂ）の通り、便蓋が起立したときに鉛直に近い角度となり、便蓋が前方に倒れ易い。特に、便蓋に布製などの便蓋カバー（図示略）を装着したときには、便蓋１０がロータンク１３と干渉し、自立できないおそれもある。
【０００９】
また、第５図（ｂ）の通り、便蓋１０がロータンク１３上の手洗い鉢１４よりも上方に高く突出してしまい、ロータンク上面の手洗い鉢が使用しにくくなる。
【００１０】
【特許文献１】
特開２００１−１１５５２６号公報
【００１１】
【発明が解決しようとする課題】
本発明は、倒伏した便蓋が便座ボックス等のケースの上面の略全体を覆い、便蓋とケースとの間隙に塵やゴミが入ることが防止されると共に、便蓋が確実に自立でき、しかも手洗い鉢も使用し易い便蓋装置を提供することを目的とする。
【００１２】
【課題を解決するための手段】
本発明の便蓋装置は、洋風便器の後部上面に設置されたケースと、該ケースに対し起倒回動可能に連結された便蓋とを有する便蓋装置において、該便蓋として、洋風便器の便鉢に被さるように倒伏する主便蓋と、該主便蓋の後部及び該ケースの上面の略全体を被うように倒伏する副便蓋とが設けられていることを特徴とするものである。
【００１３】
かかる便蓋装置にあっては、倒伏した副便蓋が主便蓋の後部とケース上面の略全体とを覆うので、ケース周囲には塵やゴミが落ち込む隙間が存在しない。また、主便蓋をケースの前部に枢支し、主便蓋を自立させ易いものとすることができる。さらに、主便蓋をケースの前部に枢支させることにより、主便蓋の長さ（洋風便器前後方向の長さ）が過大となることが防止されるので、手洗い鉢が設けられている便器設備の場合、起立した主便蓋が手洗い鉢よりも上方に高く突出して手洗い鉢の使用の障害となることも防止される。
【００１４】
本発明では、主便蓋及び副便蓋のいずれもが倒伏した場合に、該主便蓋及び副便蓋の上面が連続面状となるように、該主便蓋の後部に、該副便蓋の前部が係合する段差部が設けられている構成としてもよい。このように構成した場合、主便蓋と副便蓋とが倒伏したときに、該主便蓋と副便蓋との外観上の一体感が高くなり、美観が向上する。また、主便蓋及び副便蓋を倒伏させて上面を拭き掃除する際に、雑巾等が副便蓋の前縁に引掛かることがなく、掃除し易い。
【００１５】
本発明では、副便蓋の前部の下面に下方へ突出する突出体が設けられており、該主便蓋が起立回動するときに、該突出体が該主便蓋の上面に接しながら移動するよう構成してもよい。このように構成した場合には、主便蓋及び副便蓋を起倒回動させたときに副便蓋の前縁が主便蓋の上面と直接に摩擦摺動せず、主便蓋の上面に該前縁によって傷が付くことが防止される。
【００１６】
この突出体は、主便蓋の上面に沿って転動するローラを有することが好ましい。このようにローラを設けることにより、主便蓋上面の傷付きが確実に防止される。
【００１７】
本発明では、主便蓋を起倒回動させる駆動装置が設けられており、該主便蓋の起倒回動によって副便蓋が起倒回動するよう構成してもよい。この場合は、副便蓋に上記の突出体とりわけ上記のローラが設けられていることが好ましい。
【００１８】
本発明では、主便蓋及び副便蓋を起倒回動させる駆動装置を設け、副便蓋の起倒回動途中には主便蓋と副便蓋とを非接触とするよう構成してもよい。このように構成した場合、主便蓋及び副便蓋が起倒回動に摩擦摺動せず、主便蓋上面に摩擦痕が付くことが防止される。
【００１９】
【発明の実施の形態】
以下、図面を参照して実施の形態について説明する。
【００２０】
第１図は実施の形態に係る便蓋装置の斜視図であり、（ａ）図は主便蓋及び副便蓋が倒伏した状態を示し、（ｂ）図は主便蓋及び副便蓋が起立した状態を示している。第２図は第１図の実施の形態において副便蓋を起立させた状態を示す斜視図、第３図は第１図（ｂ）の便蓋装置を備えた洋風便器の側面図である。
【００２１】
第３図の通り、洋風便器２０の後部上面に便座ボックス２１が設置され、この便座ボックス２１の前部に支軸２２を介して便座２３及び主便蓋２４が起倒回動可能に取り付けられている。便座ボックス２１の後部上縁に副便蓋２６が支軸２５を介して起倒回動可能に取り付けられている。
【００２２】
便座ボックス２１の前面は、前方ほど下位となる下り斜面となっている。この斜面の左右方向の中央部には、膨出部２１ａが突設されている。
【００２３】
便座２３は、左右の後部から後方に延出した延出部２３ａ，２３ａを有しており、この延出部２３ａ，２３ａが膨出部２１ａの左右両側に配置されている。
【００２４】
この主便蓋２４は、左右の後部から後方に延出部２４ａ，２４ａが延設されており、該延出部２４ａ，２４ａが膨出部２１ａの左右外方に配置されている。この実施の形態では、この主便蓋２４の延出部２４ａ，２４ａは、便座２３の延出部２３ａ，２３ａの左右外方に配置されている。
【００２５】
便座２３及び主便蓋２４は、同軸の支軸２２によって起倒回動可能に枢支されている。
【００２６】
主便蓋２４の後部にあっては、延出部２４ａよりも前方の位置に段差部２４ｂが設けられ、この段差部２４ｂよりも後部は、段差部２４ｂよりも前部に比べ若干（例えば１〜２ｍｍ程度）低位となっている。なお、この段差部２４ｂは、主便蓋２４が倒伏した状態において後方ほど低位となる下り勾配となっている。
【００２７】
この段差部２４ｂに隣接する低位部分のうち、主便蓋２４の左右方向の中央部には、主便蓋２４の後縁から切り込まれた形状の切欠部２４ｃが設けられている。この切欠部２４ｃには、副便蓋２６に設けられた後述するローラ２７及びその支脚２８が入り込むようになっている。
【００２８】
副便蓋２６は、便座ボックス２１の上面から前記主便蓋２４の後部にかけて重なる主板部２６ａと、この主板部２６ａの左右両側辺から垂設された側板部２６ｂ，２６ｂとを有する。この側板部２６ｂ，２６ｂの最後部が支軸２５によって便座ボックス２１に枢支される。便座ボックス２１の上部の左右両サイドには、この側板部２６ｂ，２６ｂが係合する凹段部２１ｂ，２１ｂが形成されている。
【００２９】
副便蓋２６が倒伏すると、側板部２６ｂが凹段部２１ｂに係合し、便座ボックス２１の側面と側板部２６ｂの外面とが面一状となる。また、主便蓋２４及び副便蓋２６が倒伏した場合、副便蓋２６の前部が主便蓋２４の後部の低位部に係合し、主便蓋２４の上面から副便蓋２６の上面にかけて面一状となる。なお、主便蓋２４及び副便蓋２６が倒伏した場合、副便蓋２６の最前縁には段差部２４ｂと殆ど隙間なく係合する。
【００３０】
副便蓋２６の前部の下面には、１対の支脚２８，２８が突設され、該支脚２８，２８間に架設されたローラ軸（図示略）によってローラ２７が転動自在に設置されている。このローラ軸の軸心方向は洋風便器２０の左右幅方向となっている。
【００３１】
主便蓋２４が起倒回動するときには、ローラ２７は主便蓋２４の上面に沿って転動する。
【００３２】
主便蓋２４及び副便蓋２６が起立した状態において、副便蓋２６はローラ２７を介して主便蓋２４に寄り掛っている。
【００３３】
このように構成された便蓋装置においては、主便蓋２４及び副便蓋２６が倒伏した状態においては、第１図（ａ）の通り便座２３から便座ボックス２１にかけて主便蓋２４及び副便蓋２６がこれらの全体を覆い、しかも主便蓋２４及び副便蓋２６が連続した一枚状に視覚されるようになり、きわめて見栄えが良い。また、主便蓋２４及び副便蓋２６の上面が面一状であるため、これらの上面を雑巾で拭いても雑巾が引掛かることがない。また、副便蓋２６の前縁が段差部２４ｂにほぼぴったりと係合しており、両者の間の隙間は殆ど目立たず、この隙間にゴミ等が入ることも防止される。
【００３４】
主便蓋２４を起立させると、ローラ２７が主便蓋２４の上面に沿って転動し、第３図の如く副便蓋２６も起立する。このようにローラ２７が主便蓋２４の上面を転動するので、主便蓋２４に痕が付かない。
【００３５】
この主便蓋２４は、第６図に示す従来の便蓋５と同程度の長さのものであるので、手洗い鉢が設けられているタイプの洋風便器設備にあっては、主便蓋２４が手洗い鉢から上方に高く突出することがなく、手洗い鉢の支障にならない。また、主便蓋２４の支軸２２は便座ボックス２１の前部に位置するので、主便蓋２４は十分に後傾した起立姿勢をとる。そのため主便蓋２４の起立姿勢が安定しており、多少触れた程度で主便蓋２４が倒れることがない。
【００３６】
第３図の起立状態から主便蓋２４を倒伏させると、副便蓋２６も自重によって自然に倒伏し、第１図（ａ）に示す状態に復帰する。
【００３７】
なお、主便蓋２４は電動開閉装置によって開閉されてもよい。この場合も、主便蓋２４の開閉に伴って、副便蓋２６がローラ２７を介して起倒回動する。即ち、この場合も、ローラ２７は主便蓋２４の上面に沿って転動する。
【００３８】
なお、本発明では、主便蓋２４と副便蓋２６とをそれぞれ電動開閉させてもよい。この場合、主便蓋２４の起立に先行させて副便蓋２６を起立させ、副便蓋２６の倒伏に先行させて主便蓋２４を倒伏させるようにし、起倒回動時に主便蓋２４と副便蓋２６とが接触しないようにすれば、前記ローラ２７は省略される。
【００３９】
上記実施の形態は便座ボックスを採用しているが、第４図のようにタンクカバー３１を有する場合にも本発明を適用できる。このタンクカバー３１は、洋風便器３０の後部上面に設置されている。このタンクカバー３１の前面下部には、前記第７図の膨出部６ａと同様の膨出部（図示略）が設けられており、この膨出部６ａの前部に主便蓋３３と便座３２とが共通の支軸によって枢支されている。この支軸よりも後部且つ上方の支軸によって副便蓋３４が起倒回動可能に枢支されている。この主便蓋３３及び副便蓋３４の構成は第１〜３図の主便蓋２４及び副便蓋２６と同一である。符号３５は手洗い鉢を示している。
【００４０】
この実施の形態においては、このタンクカバーの該膨出部がケーシングに相当する。この膨出部の上面は、倒伏した副便蓋３４によって覆われる。この実施の形態においても、前記実施の形態と同様の効果が奏される。
【００４１】
【発明の効果】
以上の通り、本発明によると、倒伏した便蓋が便座ボックス等のケースの上面の略全体を覆い、便蓋とケースとの間隙に塵やゴミが入ることが防止されると共に、便蓋が確実に自立でき、しかも手洗い鉢も使用し易い便蓋装置が提供される。
【図面の簡単な説明】
【図１】実施の形態に係る便蓋装置の斜視図であり、（ａ）図は主便蓋及び副便蓋が起立した状態を示し、（ｂ）図は主便蓋及び副便蓋が倒伏した状態を示している。
【図２】第１図の実施の形態において副便蓋を起立させた状態を示す斜視図である。
【図３】第１図（ｂ）の便蓋装置を備えた洋風便器の側面図である。
【図４】別の実施の形態を示す斜視図である。
【図５】従来例を示す側面図である。
【図６】従来例を示す斜視図である。
【図７】別の従来例を示す斜視図である。
【符号の説明】
２１  便座ボックス
２３，３２  便座
２４，３３  主便蓋
２４ｂ  段差部
２６，３４  副便蓋
２７  ローラ
３１  タンクカバー
【図１】
2004254758.tif 000003
【図２】
2004254758.tif 000004
【図３】
2004254758.tif 000005
【図４】
2004254758.tif 000006
【図５】
2004254758.tif 000007
【図６】
2004254758.tif 000008
【図７】
2004254758.tif 000009